(57)【要約】【目的】光源からの光を効率的に透光性の操作軸内に入射させることができる照光式電気部品を提供する。【構成】回動し、少なくとも２点で安定する操作軸３を有し、該操作軸３は透光性であって頂部に照光される絵文字部１７を備え、操作軸３の側方に配置された発光素子１４を有し、操作軸３は各安定点において発光素子１４からの光路に対し直交する方向の光入射面である側面３２ｂ１、３２ｂ２を有するとともに、前記入射面の反対側には下方に頂点を有する錐状の光反射面３６を備えた。【選択図】　　　図２
2004134239.tif 000002
【特許請求の範囲】
【請求項１】
回動し、少なくとも２点で安定する操作軸を有し、該操作軸は透光性であって頂部に照光される表示部を備え、
前記操作軸の側方に配置された光源を有し、
前記操作軸は各安定点において前記光源からの光路に対し直交する方向の光入射面を有するとともに、前記入射面の反対側には下方に頂点を有する錐状の光反射面を備えたことを特徴とするスイッチ装置。
【請求項２】
請求項１において、前記光反射面が円錐形状であることを特徴とする照光式電気部品。
【請求項３】
請求項１において、前記操作軸は揺動自在に支持されていることを特徴とする照光式電気部品。
【発明の詳細な説明】
【０００１】
【発明の属する技術分野】
本発明は、車載用パワーミラー装置等に使用され、頂部に照光される表示部を有する操作軸を備えた照光式電気部品に関する。
【０００２】
【従来の技術】
この種の、照光式電気部品として、特許文献１に示す照光つまみ付スイッチがある。
【０００３】
図７は従来の照光つまみ付スイッチの分解斜視図であり、同図において、１２１は操作部１２１Ａと嵌合部１２１Ｂを備えた樹脂製の操作つまみ、１２２は操作つまみ１２１の中央部に嵌合された透明な円柱状または楕円柱状の第一の導光体、１０３は第一の導光体２２前端の照光面１２２Ａに取付けられたスイッチモードのキャラクタを描いたプレートであり、第一の導光体１２２の後端には下方からの光を軸線方向に反射して照光面１２２Ａへ導くように略４５°に傾斜すると共に、所定範囲の回動角度に対応して下方からの光を略直角に反射して照光面１２２Ａへ導くように上方に湾曲した受光部１２２Ｂが設けられ、操作つまみ１２１にはこの受光部１２２Ｂの下方となる位置に操作つまみ１２１の回動範囲内のみ開口するようにした開口部１２１Ｃが設けられている。
【０００４】
また、１２３は後面と下面に開口部を有し前面に開口孔１２３Ａを有するケース、１２４はケース１２３の開口孔１２３Ａに回動及び押圧可能に挿入された可動軸であり、可動軸１２４の突出部１２４Ａはケース１２３の開口孔１２３Ａから突出して操作つまみ１２１の嵌合部１２１Ｂに結合されている。
【０００５】
そして、１２５はケース１２３内に回動可能に収納されたロータ、１２６はケース１２３後面に配置され前面に複数の固定接点１０７を植設した第一の端子板であり、ロータ１２５の回動軸１２５Ａが可動軸１２４後面の嵌合孔１２４Ｂに挿入されると共に、突出部１２４Ａの後面とロータ１２５の回動軸１２５Ａの間には復帰用ばね１２７がやや撓んだ状態で収納され、ロータ１２５の後面に取付けられた第一の接触片１０９が接圧用ばね１０８に付勢されて固定接点１０７に弾接し、ロータリスイッチユニット１２８が構成されている。
【０００６】
また、１２９はケース１２３の下面に配置され上面に複数の固定接点１３０を植設した第二の端子板、１３１はケース１２３内に摺動可能に収納された摺動体、１３２は摺動体１３１の下面に装着され先端が固定接点１３０に弾接した第二の接触片であり、摺動体１３１上面の突起部１３１Ａには可動軸１２４下面に設けられた押圧部１２４Ｃが当接し、摺動体１３１の後面とケース１２３の間には復帰用ばね１３３がやや撓んだ状態で装着されてプッシュスイッチユニット１３４が構成されている。
【０００７】
そして、１３５は小形電球や発光ダイオード等の第一の発光素子であり、第一の導光体１２２の受光部１２２Ｂ下方の第二の端子板１２９に装着されている。
【０００８】
上記構成において、操作つまみ１２１の操作部１２１Ａを回動操作すると、可動軸１２４を介してロータ１２５が可動し、ロータ１２５の後面に取付けられた第一の接触片１０９が接圧用ばね１０８に付勢されて固定接点１０７上を弾接回動することによって、複数の固定接点１０７間の電気的接離が行われる。
【０００９】
また、操作つまみ１２１の操作部１２１Ａを押圧操作すると、可動軸１２４が復帰用ばね１２７を撓ませながらケース１２３内を摺動すると同時に、可動軸１２４下面の押圧部１２４Ｃが摺動体１３１の突起部１３１Ａを押圧し、摺動体１３１が復帰用ばね１３３を撓ませながらケース１２３内を摺動して、摺動体１３１の下面に装着された第二の接触片１３２の先端が固定接点１３０上を弾接摺動し、複数の固定接点１３０間の電気的接離が行われ、押圧力を解除すると可動軸１２４は復帰用ばね１２７によって、摺動体１３１は復帰用ばね１３３の弾性復帰力によって非操作状態に復帰する。
【００１０】
そして、第二の端子板１２９に装着された第一の発光素子１３５を点灯させると、この光が操作つまみ１２１の開口部１２１Ｃを通って上方の第一の導光体１２２の受光部１２２Ｂに入射されるが、この受光部１２２Ｂは下方からの光を軸線方向に反射して照光面１２２Ａへ導くように略４５°に傾斜し上方に湾曲した面となっているため、光はこの受光部１２２Ｂで略直角に反射して第一の導光体１２２内を上方向へ直進し、照光面１２２Ａを通った光がプレート１０３のスイッチモードのキャラクタを照光させる。
【００１１】
また、図８（ｂ）に示すように、操作つまみ１２１が回動して受光部１２２Ｂが傾いた状態で第一の発光素子１３５を点灯させた場合でも、第一の発光素子１３５の光が入射される第一の導光体１２２の受光部１２２Ｂの傾斜面が、所定範囲の回動角度に対応して下方からの光を軸線方向に反射して照光面１２２Ａへ導くように上方に湾曲した面となっているため、図８（ａ）の回動していない状態と同等の略４５°に近い角度で受光部１２２Ｂの傾斜面に光が入射され、この光が受光部１２２Ｂで略直角に反射して第一の導光体１２２内を直進し、照光面１２２Ａを照光させることができる。
【００１２】
【特許文献１】
特開平１０−２８３８６７号公報（公報３〜４頁、図１、図２、図４）
【００１３】
【発明が解決しようとする課題】
ところで、従来技術では、発光素子１３５からの光が、操作つまみ１２１の開口部１２１Ｃに露出している円柱状の第一の導光体１２２の周側面から入射し、受光部１２２Ｂの傾斜面で反射して照光面１２２Ａへ導くようになっている。したがって、発光素子１３５からの光は、第一の導光体１２２の周側面で反射され、第一の導光体１２２に入る光量が減り、充分な照度が得られないものであり、充分な照度を得るために発光素子の発光量を大きくすると電力消費量が増大してしまう問題がある。
【００１４】
本発明は、かかる従来技術の不備を解消するためになされたものであって、その課題とするところは、光源からの光を効率的に透光性の操作軸内に入射させることができる照光式電気部品を提供することにある。
【００１５】
【課題を解決するための手段】
本発明は、前記の課題を解決するため、照光式電気部品に関しては、第１に、回動し、少なくとも２点で安定する操作軸を有し、該操作軸は透光性であって頂部に照光される表示部を備え、前記操作軸の側方に配置された光源を有し、前記操作軸は各安定点において前記光源からの光路に対し直交する方向の光入射面を有するとともに、前記入射面の反対側には下方に頂点を有する錐状の光反射面を備えた構成にした。
【００１６】
本構成によると、操作軸が回転操作されても、光源からの光を効率的に透光性の操作軸内に入射させることができる。
【００１７】
第２に、前記第１の構成において、請求項１において、前記光反射面が円錐形状である構成とした。
【００１８】
本構成によると、光反射面が円錐形状であるので、光を満遍なく反射することができる。
【００１９】
第３に、前記第１の構成において、前記操作軸は揺動自在に支持されている構成とした。
【００２０】
本構成によると、操作軸が回転及び揺動操作されても、光源からの光を効率的に透光性の操作軸内に入射させることができる。
【００２１】
【発明の実施の形態】
以下、本発明に係る照光式電気部品の一実施形態を、図１乃至図６に基づいて説明する。
【００２２】
図１は実施形態例に係る照光式電気部品の平面図、図２は図１のＡ−Ａ線に沿った断面図、図３は図１のＢ−Ｂ線に沿った断面図、図４は実施形態例に係る照光式電気部品の分解斜視図、図５は操作軸の説明図、図６は実施形態例に係る照光式電気部品の要部を説明するための図である。なお、図５にて、（ａ）は操作軸の正面図、（ｂ）は平面図、（ｃ）は右側面図、（ｄ）は左側面図、（ｅ）はＣ−Ｃ線に沿った断面図、（ｆ）はＤ−Ｄ線に沿った断面図、（ｇ）はＥ−Ｅ線に沿った断面図、（ｈ）はＦ−Ｆ線に沿った断面図である。
【００２３】
実施形態例に係る照光式電気部品は、自動車の車体の左右に備えられたサイドミラーの視角調節を電動で行うパワーミラー装置に適用したものを説明する。このパワーミラー装置は、左右いずれかのサイドミラーを選択するためのミラー選択スイッチと、当該スイッチによって選択されたサイドミラーの視角を調整するための視角調整用スイッチとを１つの操作軸で操作できるもので説明してある。
【００２４】
図１から明らかなように、本例の照光式電気部品は、ノブ１と、ケース２と、操作軸３と、当該操作軸３を揺動可能かつ回転可能に保持する可動軸受部４と、当該可動軸受部４に一端を保持されたコイルスプリング５と、コイルスプリング５によりケース２の天部内面の節度部２ｃに押圧されるボール７と、前記操作軸３の下端に装着されるコイルスプリング８及びアクチュエータ９と、前記操作軸３の回転操作あるいは揺動操作によって駆動されるスライダー１０と、当該スライダー１０に取り付けられる２つの可動接点１１及びコイルスプリング１２と、左右のミラー切り換え用固定接点及び視角調整用固定接点を含む所要の電気回路が形成された配線基板１３と、当該配線基板１３に接続される発光素子１４と、前記配線基板１３に電気的に接続される複数本のリードと前記スライダー１０の保持部とが備えられたウエハー１５とから主に構成されている。
【００２５】
ノブ１は、図１乃至図４に示すように、四角筒形の把持部１６と、把持部１６の上面には、当該照光式電気部品の機能を表示するための透光性の絵文字１７が形成されている。これら両部はいずれも絶縁性の樹脂材料を用いて形成されている。把持部１６の内部には、操作軸３を嵌合可能な嵌合穴１８が形成され、当該嵌合穴１８の内周部には、操作軸３を係合するための係止爪１９が下向きに形成されている。
【００２６】
ケース２は、以下に説明する各部材を収納するものであって、絶縁性の樹脂材料を用いて下面が開放された箱状に形成されており、その上面部２ａには、操作軸３を揺動可能に貫通する透孔２ｂが開設されている。また、上面部２ａの内面には、図６に示すように、可動軸受部４に備えられたボール６と係合して、ノブ１の回転操作にクリック感を付与するための複数個（本実施例場合、中立位置と、中立位置から左右に４５度回転した右位置と左位置の３か所）のボール受け（節度部）２ｃが形成されている。さらに、ケース２の下端部には、ウエハー１５を一体に係合するための複数個の係止孔２ｄが開設されている。
【００２７】
操作軸３は、ノブ１に加えられた力をケース２内に収納された各部材に伝達し、所要のスイッチ操作を選択的に切換操作するものであって、円柱部３１と角柱部３２とから構成されており、また、操作軸３全体が透光性の材料から成形されて導光路を構成している。また、この円柱部３１の上端部近傍には、前記ノブ１に形成された係止爪１９を係合するための係止段部３３が形成されている。また、操作軸３の上端部には、ノブ１の嵌合穴１８に嵌合されたとき、回り止めとなる溝部３４，３４が形成され、溝部３４に嵌合穴１８の突部（図示を省略）が嵌め込まれ、更に係止爪１９の先端が係止段部３３に係合されてノブ１と操作軸３が一体化されている。さらに、この円柱部３１と角柱部３２の間には、平面形状が多角形（本例では８角形）形状のフランジ部材３５が一体に成形されている。
【００２８】
一方、角柱部３２は、図５に示すように全体に八角柱形状形成され、その下端部寄りは小径角柱部３２ａに形成され、上部を大径角柱部３２ｂに形成され、それらの間に４角錐部３２ｃが形成されている。この大径角柱部３２ａには切りかかれて円錐形状の反射面３６が形成されている。この反射面３６の軸心は大径角柱部３２ｂの軸心と同一線上でかつ反射面３６の円錐形状の頂点は大径角柱部３２ｂの下端に位置している。反射面３６に対向する大径角柱部３２ａの各側面３２ｂ１が発光素子１４からの光の入射面となり、反射面３６で上方に反射し、ノブ１の絵文字部１７を照光する。３７は小径角柱部３２ａに設けられた突条部で、小径角柱部３２ａをスライダー１０に差し込んでスライダー１０をスライド動作及び回転動作させるときに、この突条部３７によってスライダー１０を操作軸３の回転と共に回転動作させるものである。また、小径角柱部３２ａの下端面には収納穴３８が形成され、この収納穴３８にコイルスプリング８及びアクチュエータ９が収納されている。そして、ウエハー１５の底面に、コイルスプリング８のバネ力によりアクチュエータ９は押圧されることにより、操作軸３には上方への力が作用し、フランジ部４５が可動軸受部４の受け部４ａによって受けられている。
【００２９】
可動軸受部４は、操作軸３のフランジ部３５を受けて揺動可能に保持すると共に、操作軸３と一体的に回転して以下に説明するスライダー１０を回転駆動ものであって、絶縁性の樹脂材料を用いて受け部４ａを有する円筒形に形成されている。受け部４ａには、操作軸３を揺動可能に貫通する透孔４ｂが開設されている。また、当該可動軸受部４の内面は、その平面形状が前記フランジ部材３５を挿入可能な多角形（本例では８角形）に形成されている。したがって、前記操作軸３は可動軸受部４と独立に揺動可能であり、かつ前記操作軸３をその軸線回りに回転すると、フランジ部材３５とともに可動軸受部４も一体的に回転する。また、可動軸受部４の外面には、節度用のコイルスプリング５とボール７を収納する収納穴４ｃが形成されている。また、後述する発光素子１４に対面する外面に透孔４ｄが形成されている。
【００３０】
スライダー１０は、操作軸３の揺動操作あるいは回転操作に連動して、操作軸の揺動方向にスライド動作あるいは操作軸３の軸線回りに回転往復運動するものであって、絶縁性の樹脂材料を用いて平面形状が矩形の板状に形成されている。このスライダー１０は、図１乃至図４に示すように、その基板部１０ａの中央部に操作軸３の小径部３２を貫通する透孔１０ｂが開設されている。また、表面の長手方向両端部には、可動接点１１を装着するための合計２個の可動接点装着孔１０ｃと、コイルスプリング１２を装着するための合計２個のスプリング装着孔１０ｄとが形成されている。スプリング装着孔１０ｄは、一対の可動接点装着孔１０ｃの中央部に形成される。また、透孔１０ｂの内面には、前記操作軸３の突条部３７に係合する凹溝１０ｅが形成されている。
【００３１】
可動接点１１は、例えばリン青銅等の弾性と導電性に優れた導電材料をもってＶ字形に形成されている。
【００３２】
コイルスプリング１２は、可動接点１１を常時配線基板１３の裏面に押圧する。
【００３３】
配線基板１３の表面側には前記可動接点１１によって切り換えられる左右ミラー切換用固定接点（図示省略）、傾斜調節用固定接点（図示省略）が形成されている。また、当該配線基板１３の一側辺部には、ウエハー１５に備えられたリードを挿入して当該配線基板１３に形成された導電パターンと電気的に接続するための複数個の透孔１３ａが開設され、また当該配線基板１３には、以下に説明する発光素子１４を電気的に接続するための透孔１３ｂが開設されている。
【００３４】
発光素子１４としては、小型にして長寿命であることから発光ダイオードが好適である。この発光素子１４は、図２及び図６に示すように、操作軸３の大径角柱部３２ｂに形成された反射面３６の反対側の側面（入射面）３２ｂ１に対向して配置されている。
【００３５】
前記配線基板１３と電気的に接続されるウエハー１５は、前記の各種内蔵部品を保持すると共に、ノブ１を操作することによって得られたスイッチ信号を外部に導出するためのコネクタ機能を備えたものであって、絶縁性の樹脂材料を用いて形成されている。このウエハー１５には、図２乃至図４に示すように、操作軸３のアクチュエータ９が圧接されて操作軸３を中立位置（図２の非操作位置）に復帰させるための凹部１５ａが形成されている。
【００３６】
以下、前記のように構成された本実施形態例に係る照光式電気部品の動作について説明する。
【００３７】
ノブ１が非操作状態である第１の位置（図１に示す位置）にあるとき、左右ミラー切換スイッチ及び視角調整用スイッチは、いずれも中立位置に切り換えられており、操作軸３はコイルスプリング８の弾性力によって中立位置に保持されている。
【００３８】
第１の位置にあるノブ１を図１に示す「Ｌ」方向又は「Ｒ」方向に回転操作すると、その回転力が操作軸３を介してスライダー１０に伝達され、左ミラーの視角調整用スイッチの固定接点か、右ミラーの視角調整用スイッチの固定接点にスライダー１０が回転して位置されることにより、左右ミラーのスイッチが切り換えられる。このとき、操作軸３の回転と共に可動軸受部４が回転してコイルスプリング５によって付勢されたボール６が、ケース２に形成された各ボール受け２ｃ間を移動するので、ユーザはその際に生じるクリック感を感得することができ、良好な使用感のもとに左右ミラー切り換え操作を確実に行うことができる。また、ノブ１から手を離すと、その位置でノブ１は保持される。
【００３９】
また、前述のように第１の位置からノブ１（操作軸３）を右（または左）に４５度回すと、右ミラーの視角調整を行なえる状態になる。その状態でノブ１を上下方向、若しく左右方向に揺動操作すると、その揺動力が操作軸３を介してスライダー１０に伝達され、スライダー１０がスライド移動され、視角調整スイッチがオン状態に切り換えられる。この場合には、ノブ１から手を離すと、コイルスプリング８の弾性力によって、ノブ１は中立位置（操作軸３の非傾倒状態）に自動的に復帰する。
【００４０】
なお、発光素子１４は、スイッチの切換操作に関係なく点灯させることもできるし、特定のスイッチがオン操作された特に選択的に点灯させることもできる。発光素子１４から放射された光は、操作軸３に開設された入射面から入射し、反射面３６で反射されてノブ１に照射され、ノブ１に表示された絵文字１７を発光させる。
【００４１】
発光素子１４から放射された光は、図６に示すように、操作軸３の八角柱形状の大径角柱部３２ｂの側面３２ｂ１から入射される。この側面３２ｂ１は光路に対して直交する配置となっていて発光素子１４から光を効率よく入射できる。入射した光は、頂点を下にした円錐形状の反射面３６によって上方に反射され、ノブ１の絵文字１７を充分な照度で満遍なく照光できる。そして、例えば、上述のように右方向にノブ１を４５度回転させると、操作軸３は４５度回転して、操作軸３の八角柱形状の大径角柱部３２ｂの隣の側面３２ｂ２が、再び光路に対して直交する配置となる。したがって、操作軸３が回転しても、発光素子１４から光を効率よく入射できてノブ１の絵文字１７を充分な照度で照光できる。
【００４２】
また、操作軸３を揺動させたときにも、操作軸３内に入射した光は操作軸３の円柱部３１の外周面に反射されてノブ１の絵文字１７を充分な照度で照光できる。
【００４３】
本例の車載用パワーミラー装置は、１つの操作軸を操作することによって、左右いずれかのサイドミラーの選択と、選択したサイドミラーの視角調節とを行うことができるので、車載用パワーミラー装置の操作をきわめて簡便なものにすることができる。
【００４４】
【発明の効果】
本願発明は、操作軸が回転操作されても、光源からの光を効率的に透光性の操作軸内に入射させることができる。
【００４５】
また、本願発明は、光反射面が円錐形状であるので、光を満遍なく反射することができる。
【００４６】
また、本願発明は、操作軸が回転及び揺動操作されても、光源からの光を効率的に透光性の操作軸内に入射させることができる。
【図面の簡単な説明】
【図１】実施形態例に係る照光式電気部品の平面図である。
【図２】図１のＡ−Ａ線に沿った断面図である。
【図３】図１のＢ−Ｂ線に沿った断面図である。
【図４】実施形態例に係る照光式電気部品の分解斜視図である。
【図５】操作軸の説明図である。
【図６】実施形態例に係る照光式電気部品の要部を説明するための図である。
【図７】従来の照光つまみ付スイッチの分解斜視図である。
【図８】同要部正面図である。
【符号の説明】
３　操作軸
１０　スライダー
１４　発光素子（光源）
１７　絵文字部（表示部）
３２ｂ１、３２ｂ２　側面（入射面）
３６　反射面
【図１】
2004134239.tif 000003
【図２】
2004134239.tif 000004
【図３】
2004134239.tif 000005
【図４】
2004134239.tif 000006
【図５】
2004134239.tif 000007
【図６】
2004134239.tif 000008
【図７】
2004134239.tif 000009
【図８】
2004134239.tif 000010